(57)【要約】【課題】  新たな疾病を招来させることなく、患者に対する負担を可及的に小さくすることができ、ウィルスが感染した免疫細胞を有効に処置することができるウィルス感染細胞処置装置を提供する。【解決手段】  定電圧電源器３による印加電圧及び印加周期を予め設定しておき、両パッド１，２を患者１００の体表面の適宜位置に距離を隔てて当接させ、定電圧電源器３を作動させて、パッド１，２から患者１００に、所定周期の矩形波状の直流電圧を３０分程度から１時間程度印加する。これによって、ＨＩＶが感染してプロウィルスを有するＴ細胞については、当該感染細胞をアポトーシスに導くことができ、また、ＨＩＶが感染してプロウィルスを有する単球については、当該感染細胞の転写活性を向上させることができる。【選択図】  図１
2009291230.tif 000002
【特許請求の範囲】
【請求項１】
対象者に当接すべく形成してなり、対をなす複数の電極部と、各電極部に所定電流値であり矩形波状の直流電圧を印加する電源部とを備え、
対象者に当接させた各電極に、前記電源部から所定値の直流電圧を所定周期で印加することによって、前記対象者が有するウィルス感染免疫細胞を処置するようになしてある
ことを特徴とするウィルス感染細胞処置装置。
【請求項２】
前記ウィルス感染免疫細胞はヒト免疫不全ウィルスが感染した免疫細胞である請求項１に記載のウィルス感染細胞処置装置。
【請求項３】
前記電源部は、２．５Ｖから２０Ｖまでの間の所定の値の直流電圧を出力するようになしてある請求項２記載のウィルス感染細胞処置装置。
【請求項４】
前記電源部は、３０Ｈｚから１００Ｈｚまでの間の適宜の周波数の直流電圧を出力するようになしてある請求項３記載のウィルス感染細胞処置装置。
【発明の詳細な説明】
【技術分野】
【０００１】
本発明は、ウィルスに感染された細胞を処置する装置に関する。
【背景技術】
【０００２】
エイズ（ＡＩＤＳ：後天性免疫不全症候群）は、ＨＩＶ（ヒト免疫不全ウィルス）が免疫細胞に感染し、当該免疫細胞が破壊されることにより発症する免疫不全症であり、エイズを治療する方法として、核酸系逆転写酵素阻害剤及び／又は非核酸系逆転写酵素阻害剤とプロテアーゼ阻害剤とを組み合わせて投薬するＨＡＡＲＴ（Highly  Active  Anti-Retrovirus  therapy）療法が開発されている。かかるＨＡＡＲＴ療法は、細胞外の体液中に浮遊しているＨＩＶが細胞に結合するのを阻止し、また細胞内に進入したＨＩＶのＲＮＡが逆転写酵素によってＤＮＡに逆転写されることを阻止することによってＨＩＶの細胞への感染を防止するものである。
しかし、ＨＡＡＲＴ療法は、ＨＩＶが感染した細胞を直接的に処置するものではないため、次のような問題があった。
【０００３】
すなわち、ＨＩＶは逆転写酵素によって感染細胞のＤＮＡ内に組み込まれるレトロウィルスであるので、ＤＮＡ内に組み込まれたＨＩＶのプロウィルスが休止状態の場合、当該プロウィルスは、ＨＩＶとして感染細胞の外へ放出されることなく、当該感染細胞の細胞分裂に伴って娘細胞に受け継がれて行く。前述したようにＨＡＡＲＴ療法では感染細胞を直接的に処置することができないため、ＨＩＶはプロウィルスとして娘細胞中に存在し続け、何らかの刺激によってプロウィルスからＨＩＶが生成される。従って、患者はその生涯に亘ってＨＡＡＲＴ療法を受け続けなければならないのである。
【０００４】
そのため、後記する特許文献１には、ＨＩＶを感染させたＨｅＬａ細胞（Ｐ６  ＨｅＬａ細胞）について、当該感染細胞を直接的に処置する装置が開示されている。すなわち、該装置は、患者の体液を体外へ循環させる循環器と、この循環器の循環経路に介装してあり、その内部に参照極及び対極電位を対向配置してなる電位印加用セルとを備えてなり、前記電位印加用セル内に導入した患者の体液に、−１０．０〜１０．０Ｖの電圧を３０分程度印加することによって、前記体液中の感染細胞に対して選択的に障害を与えるのである。
【特許文献１】特開２００３−２９０３６４号公報
【発明の開示】
【発明が解決しようとする課題】
【０００５】
このように、従来の装置は、感染細胞に対して直接障害を与えることができるので、患者の体内に存在するプロウィルスの総数を減少させることができ、エイズの根治が期待される。
【０００６】
しかしながら、このような従来の装置にあっては、ＨＩＶを感染させたＨｅＬａ細胞を用いた実験に基づいて設計してあり、かかるＨｅＬａ細胞は、ＨＩＶの感染対象細胞である免疫系の細胞ではないため、免疫系細胞に対する有効性が不明である。
【０００７】
また、循環器によってＨＩＶに感染した患者の体液を電位印加用セルへ循環させなければならないため、患者に対する負担が大きく、雑菌の混入等、新たな疾病を招来する虞があった。
【０００８】
本発明は、斯かる事情に鑑みてなされたものであって、新たな疾病を招来させることなく、患者に対する負担を可及的に小さくすることができ、ウィルスが感染した免疫細胞を有効に処置することができるウィルス感染細胞処置装置を提供する。
【課題を解決するための手段】
【０００９】
（１）本発明に係るウィルス感染細胞処置装置は、対象者に当接すべく形成してなり、対をなす複数の電極部と、各電極部に所定電流値であり矩形波状の直流電圧を印加する電源部とを備え、対象者に当接させた各電極に、前記電源部から所定値の直流電圧を所定周期で印加することによって、前記対象者が有するウィルス感染免疫細胞を処置するようになしてあることを特徴とする。
【００１０】
本発明のウィルス感染細胞処置装置にあっては、対をなす複数の電極部を対象者に当接させ、所定電流値であり矩形波状の直流電圧を出力する電源部から各電極部に、所定値の直流電圧を所定周期で印加することによって、前記対象者が有するウィルス感染免疫細胞を処置する。
【００１１】
これによって、ウィルス感染免疫細胞はその免疫細胞の種類に応じて、当該ウィルスへの転写が活性化される。或いは、ウィルス感染免疫細胞は当該ウィルスへの転写が抑制されるとともに、細胞の誘導死であるアポトーシスに導かれる。
【００１２】
ウィルス感染免疫細胞の当該ウィルスへの転写が活性化された場合、当該ウィルスの発芽・放出が招来されることによって、感染免疫細胞の免疫原性が増大するため、自己の免疫力によって当該感染免疫細胞が排除される。また、感染免疫細胞内に多量のウィルスが生成された場合、当該感染免疫細胞の破裂が招来されるので、娘細胞にウィルスが受け継がれることが防止される。
【００１３】
一方、ウィルス感染免疫細胞においてウィルスへの転写が抑制されされるとともに、アポトーシスに導かれた場合、当該感染免疫細胞からウィルスの拡散を防止しつつ、当該感染免疫細胞がアポトーシスに導かれるので、当該感染免疫細胞に係るウィルスの除去について相乗効果が奏される。
【００１４】
また、電極部を対象者に当接させ、この電極に直流電圧を印加することによって、対象者が有するウィルス感染免疫細胞を処置するようになしてあるため、新たな疾病を招来させることなく、対象者に対する負担を可及的に小さくすることができる。
なお、電源部は、好ましくは１μＡ前後の微弱電流を出力するようになしてある。
【００１５】
（２）本発明に係るウィルス感染細胞処置装置は必要に応じて、前記ウィルス感染免疫細胞はヒト免疫不全ウィルスが感染した免疫細胞であることを特徴とする。
本発明のウィルス感染細胞処置装置にあっては、前記ウィルス感染免疫細胞はヒト免疫不全ウィルスが感染した免疫細胞であり、ヒト免疫不全ウィルスの感染対象細胞である免疫細胞を効果的に処置することができる。
【００１６】
（３）本発明に係るウィルス感染細胞処置装置は必要に応じて、前記電源部は、２．５Ｖから２０Ｖまでの間の所定の値の直流電圧を出力するようになしてあることを特徴とする。
本発明のウィルス感染細胞処置装置にあっては、電源部は、２．５Ｖから２０Ｖまでの間の所定の値の直流電圧を出力し、該直流電圧が電極部に印加される。こによって、感染免疫細胞は効率的に、プロウィルスの転写活性化、又は、プロウィルスの転写活性化及びアポトーシスの誘導がなされる。なお、後者の場合、プロウィルスの転写が抑制される。
【００１７】
具体的には、免疫細胞である単球については、少なくとも５Ｖ以上の値の直流電圧を電極部に印加することによってプロウィルスの転写が活性化される。また、免疫細胞であるＴ細胞については、少なくとも２．５Ｖ以上の値の直流電圧を電極部に印加することによってアポトーシスに導かれる。
従って、より好ましい直流電圧の値は、５Ｖから２０Ｖである。これによって、単球及びＴ細胞の両免疫細胞を同時的に処置することができる。
一方、２０Ｖ程度を超える値の直流電圧を印加した場合は、対象者に不快感を与え易い。
【００１８】
（４）本発明に係るウィルス感染細胞処置装置は必要に応じて、前記電源部は、３０Ｈｚから１００Ｈｚまでの間の適宜の周波数の直流電圧を出力するようになしてある。
本発明のウィルス感染細胞処置装置にあっては、電源部は、３０Ｈｚから１００Ｈｚまでの間の適宜の周波数の直流電圧を出力するようになしてあるため、対象者に不快感を与えることなく、ウィルス感染免疫細胞を処置することができる。
【発明を実施するための最良の形態】
【００１９】
（本発明の実施形態）
図１は、本発明に係るウィルス感染細胞処置装置の構成を示す模式図であり、図中、１，２は患者１００の体表面に当接させる電極部たるパッドである。また、図２は、図１に示したパッド１（２）の拡大平面であり、図３は、図２に示したパッド１（２）のＩＩＩ−ＩＩＩ線による断面図である。
【００２０】
図２及び図３に示したように、パッド１（２）は、例えば弾性を有するシート状の電導性材料を用いてなるパッド本体１１ｂ（２１ｂ）の内部に棒状の電極１１ａ（２１ａ）が埋設してあり、パッド本体１１ｂ（２１ｂ）の一面には絶縁シートを貼着してなる被覆部１２（２２）が設けてある。前記電極１１ａ（２１ａ）にはリード６（６）の一端が固定してあり、該リード６（６）の他端はパッド本体１１ｂ（２１ｂ）の縁部から延出させてある。
【００２１】
また、図１に示したように、対をなすパッド１，２の縁部から延出させたリード６，６の他端は絶縁材で被覆してあり、両リード６，６の他端は定電圧電源器３に一端が接続してあるケーブル５，５の他端に連結してある。
そして、定電圧電源器３は、ケーブル５，５及びリード６，６を介して両パッド１，２に、後述する矩形波状の直流電圧を適宜の周期で印加するようになしてある。
【００２２】
このようなウィルス感染細胞処置装置にあっては、定電圧電源器３による印加電圧及び印加周期を予め設定しておき、両パッド１，２を患者１００の体表面の適宜位置に距離を隔てて当接させ、定電圧電源器３を作動させて、パッド１，２から患者１００に、所定周期の矩形波状の直流電圧を３０分程度から１時間程度印加する。これによって、患者の体内に後述するような微弱電流が通流される。
【００２３】
このような処置を行うことによって、ＨＩＶが感染してプロウィルスを有するＴ細胞については、当該感染細胞をアポトーシスに導くことができ、また、ＨＩＶが感染してプロウィルスを有する単球については、当該感染細胞の転写活性を向上させることができる。
このように、ＨＩＶが感染したＴ細胞がアポトーシスに導かれることによって、当該感染細胞の総数が減少するため、Ｔ細胞に係るプロウィルスの総数も減少する。
【００２４】
一方、ＨＩＶが感染した単球の転写活性が向上されることによって、当該感染細胞のＤＮＡに組み込まれたプロウィルスの領域からＨＩＶに係るＲＮＡ及びコートタンパク質に係るｍＲＮＡが生成され、コートタンパク質の合成、ＨＩＶ粒子の生成、当該感染細胞からのＨＩＶの発芽・放出が招来される。これによって、感染細胞の免疫原性が増大するので、自己の免疫力によって当該感染細胞が排除され、単球に係るプロウィルスの総数が減少する。
【００２５】
また、感染細胞内に多量のＨＩＶ粒子が生成された場合、当該感染細胞の破裂が招来されるので、プロウィルスが娘細胞に受け継がれることが防止されるため、単球に係るプロウィルスの総数も減少する。
なお、感染細胞が破裂及び感染細胞からの発芽によって体液中に放出されたＨＩＶは、前述したＨＡＡＲＴ療法により除去することができる。
【００２６】
ここで、両パッド１,２に印加される定電圧電源器３の出力電圧は、２．５Ｖ程度以上２０Ｖ程度以下である。定電圧電源器３の出力電圧が２．５Ｖ程度未満の場合、前述したプロウィルスの総数を減少させる効果を殆ど得ることができない。一方、定電圧電源器３の出力電圧が２０Ｖ程度を超える場合、患者に不快感を与え易いという不都合を招来する。
【００２７】
また、定電圧電源器３の出力電圧のより好ましい出力電圧は、１０Ｖ程度以上２０Ｖ程度以下である。定電圧電源器３の出力電圧が１０Ｖ程度以上の場合、所要の処置効果を得ることができる。
【００２８】
ここで、定電圧電源器３から前述した出力電圧がパッド１，２に印加された場合、出力された直流電圧の周波数の値に拘らず、人体に有用な０．１μＡ〜１０μＡ、好ましくは１μＡ前後の微弱電流が患者に通流される。
【００２９】
次に、かかる直流電圧を印加する周期について検討したところ、前述した直流電圧値の範囲内において、３０Ｈｚ（ｐｐｓ（pulse  per  seconds））程度から１００Ｈｚ程度が適当であった。３０Ｈｚ程度未満である場合、被験者が電気的刺激を表面的にしか感じ取ることができなく刺激が深部まで浸透していくような感覚はない。一方、１００Ｈｚ程度を超えた場合、被験者がひきつり感又は違和感といった不快感を与え、また、刺激に対する感覚が時間とともに減弱していった。
【００３０】
より適切な周期は、５５Ｈｚ程度から１００Ｈｚ程度であった。この値の領域内にあっては、被験者に快適感を与えることができ、その感覚が時間が経過しても減弱することはなかった。
【００３１】
なお、本実施の形態にあっては、定電圧電源器３に一対のパッド１，２を接続した場合について示したが、本発明はこれに限らず、対をなす複数のパッドを定電圧電源器３に接続してもよいことはいうまでもない。
【実施例】
【００３２】
（実施例１）
本発明に係る装置によって、ＨＩＶのプロウィルスを有する単球又はＴ細胞を処置した結果について説明する。
本発明者らは、本発明に係る装置によって、ＨＩＶのプロウィルスを有する単球を処置した場合、当該プロウィルスのＨＩＶへの転写が活性化される一方、ＨＩＶのプロウィルスを有するＴ細胞を処置した場合、当該プロウィルスのＨＩＶへの転写が抑制されるという知見を得た。以下に詳述する。
【００３３】
１．転写活性の測定方法
ここで、かかる転写活性化の測定方法としては、従来、対象細胞の外へ放出されたＨＩＶの逆転写酵素の活性を測定する方法、又は対象細胞の外へ放出されたＨＩＶのコアタンパク質の１つであるｐ２４を定量する方法が用いられていたが、これらの方法ではＨＩＶが対象細胞の外へ放出されるまでに３日間程度要するため、転写活性化を効率的に測定することができなかった。
【００３４】
そこで、対象細胞内における転写活性を直接検出する次のような測定方法を開発した。
すなわち、洗浄用培地で洗浄した対象細胞群を、１質量％のパラホルムアルデヒド溶液（ｐＨ７．６）に懸濁し、１０分間静置することによって対照細胞群内の蛋白質を固定した後、遠心分離機を用いて固定した対象細胞群を回収した。回収した対象細胞群を０．１質量％のサポニン溶液（シグマ社製）に懸濁し、１０分間静置させることによって浸透させた後、遠心分離によって対象細胞群を分離回収し、これにフルオレセインイソチオシアネートを結合させた抗ｐ２４抗体（ベックマン・カルチャー社製）を溶解させた染色溶液を注入して、氷上で３０分静置することによってｐ２４に抗ｐ２４抗体を結合させて、固定細胞内のｐ２４を蛍光染色した。
【００３５】
この対象細胞郡に対して、洗浄用培地での洗浄、遠心分離機による回収を２回繰り返し、当該対象細胞群を洗浄用培地に懸濁させることによって細胞懸濁液を調整し、該細胞懸濁液を蛍光標示式細胞分取器に注入して固定細胞の蛍光強度を検出することによって、対象細胞内のｐ２４の発現量を求めた。
【００３６】
なお、検出した蛍光強度の解析は、セルクエスト（ベックマン  ダイキンソン社製）のソフトウェアを用いて行った。
また、前述した洗浄用培地は、１０質量％非働化ウシ胎児血清（ＦＢＳ）を含むＲＰＭＩ１６４０液体培地（日本製薬株式会社製）にペニシリン及びストレプトマイシンをそれぞれ１００Ｕ／ｍＬ及び０．１ｍｇ／ｍＬとなるように添加したものを用いた。
【００３７】
２．ＨＩＶのプロウィルスを有する単球における転写活性化の検討
図４は、ＨＩＶのプロウィルスを有する単球における転写活性化を検討した結果を示すヒストグラムであり、縦軸は相対的なｐ２４の発現量を、横軸は印加電圧及び印加時間をそれぞれ示している。
【００３８】
対象細胞としては、ＨＩＶ潜伏感染型ヒトびまん性組織球性リンパ腫細胞（以後、Ｕ１細胞という。）を用いた。このＵ１細胞は、米国のAIDS  Research  and  Reference  Reagent  Program，Division  of  AIDS，National  Institute  of  Healthから入手した。
【００３９】
直径が６０ｍｍの複数のシャーレにＵ１細胞を、それぞれ２×１０6個となるように播種し、各シャーレのＵ１細胞に、ピーク値が５Ｖから２０Ｖの矩形波状の直流電圧を５５Ｈｚの周期で３０分から１時間印加した後、前述した測定方法により転写活性をそれぞれ検出した。なお、直流電圧を印加しない以外は同様の操作を行ったものをコントロール（Ｃｏｎｔ．）とした
【００４０】
図４から明らかなように、５Ｖの直流電圧を３０分間印加した場合、相対的なｐ２４の発現量は、コントロールと略同程度であったが、５Ｖの直流電圧であっても１時間印加すると、相対的なｐ２４の発現量は、コントロールより略１．５倍増加しており、単球においてプロウィルスの転写が活性化されていた。
また、１０Ｖの直流電圧を印加した場合、いずれの印加時間であっても、相対的なｐ２４の発現量は、コントロールより１．５倍以上増加していた。
更に、２０Ｖの直流電圧を１時間印加した場合、相対的なｐ２４の発現量は、コントロールより略２．５倍増加していた。
【００４１】
このように、試験を行ったいずれの印加時間であってもＨＩＶのプロウィルスを有する単球における転写が活性化されており、これによって、当該単球のＤＮＡに組み込まれたプロウィルスの領域からＨＩＶに係るＲＮＡ及びコートタンパク質に係るｍＲＮＡが生成され、コートタンパク質の合成、ＨＩＶ粒子の生成、当該感染細胞からのＨＩＶの発芽・放出が招来される。
【００４２】
これによって、感染細胞の免疫原性が増大するので、自己の免疫力によって当該感染細胞が排除され、単球に係るプロウィルスの総数が減少する。また、感染細胞内に多量のＨＩＶ粒子が生成された場合、当該感染細胞の破裂が招来されるので、プロウィルスが娘細胞に受け継がれることが防止されるため、単球に係るプロウィルスの総数も減少する。
なお、感染細胞が破裂及び感染細胞からの発芽によって体液中に放出されたＨＩＶは、前述したＨＡＡＲＴ療法により除去することができる。
【００４３】
３．ＨＩＶのプロウィルスを有するＴ細胞における転写活性化の検出
図５は、ＨＩＶのプロウィルスを有するＴ細胞における転写活性化を検討した結果を示すヒストグラムであり、縦軸は相対的なｐ２４の発現量を、横軸は印加電圧及び印加時間をそれぞれ示している。
【００４４】
対象細胞としては、ＨＩＶ潜伏感染型ヒトＣＤ４+Ｔ細胞（以後、ＡＣＨ２細胞という。）を用いた。このＡＣＨ２細胞も、前同様、米国のAIDS  Research  and  Reference  Reagent  Program，Division  of  AIDS，National  Institute  of  Healthから入手した。
Ｕ１細胞に代えてＡＣＨ２細胞を用いた以外は前同様の操作を行って、転写活性をそれぞれ検出した。
【００４５】
図５から明らかなように、ＡＣＨ２細胞にあっては、いずれの場合も、相対的なｐ２４の発現量は、コントロールより抑制されおり、２０Ｖの直流電圧を１時間印加した場合、他の印加条件より抑制されていた。
【００４６】
Ｔ細胞は、ＨＩＶが感染可能な免疫系細胞の大部分の割合を占めているが、前述したように、ＡＣＨ２細胞にあっては、矩形波状の直電圧を印加することにより、プロウィルスの転写が抑制されるため、ＨＩＶの拡散が飛躍的に防止される。
【００４７】
（実施例２）
次に、本発明に係る装置によって、ＨＩＶのプロウィルスを有するＴ細胞を処置した結果について説明する。
図６は、ＨＩＶのプロウィルスを有するＴ細胞のアポトーシスを検出した結果を示すヒストグラムであり、縦軸は生存細胞の割合を、横軸は印加電圧及び印加時間をそれぞれ示している。
対象細胞としては、前述したＡＣＨ２細胞を用いた。
【００４８】
前同様、直径が６０ｍｍの複数のシャーレにＡＣＨ２細胞を、それぞれ２×１０6個となるように播種し、各シャーレのＡＣＨ２細胞に、ピーク値が２．５Ｖから１０Ｖの矩形波状の直流電圧を５５Ｈｚの周期で３０分間印加した後、ＣＯ2雰囲気中で、３７℃で２４時間静置培養した後、後述するＭＴＴ法により生存細胞の割合を求めた。なお、直流電圧を印加しない以外は同様の操作を行ったものをコントロール（Ｃｏｎｔ．）とした。
【００４９】
ＭＴＴ法は、テトラゾリウム塩の一つであるＭＴＴ（3-（4,5-dimethylthiazol-2-yl）-2,5-diphenyltetrazolium  bromide）が、代謝的に活性な細胞のミトコンドリア内で切断され、フォルマザン色素を形成するという原理に基づいている。
【００５０】
すなわち、前述した如く処置を施した細胞を回収し、例えば９６穴のプレートに細胞を１×１０4細胞／穴となるように播種した後、各穴にＭＴＴ標識試薬（ローチェ社製）を播種容量の１／１０の容量となるように添加し、播種細胞を３７℃で４時間、ＣＯ2培養装置で培養する。その後、各穴に、イソプロパノールに０．０１Ｍとなるように塩酸を添加してなる細胞可溶化溶液を１００μＬずつ添加してフォルマザン色素を可溶化させ、各穴の５７０ｎｍの吸光度をプレートリーダによって測定した。そして、前述したコントロールの穴の吸光度を１００％として、生存細胞の割合を算定した。
【００５１】
図６から明らかなように、直流電圧を３０分間印加した場合、いずれの電圧であっても生存細胞の割合がコントロールより低くなっており、低くなる程度は、印加した電圧の値が高くなるに従って、大きくなっていた。そして、ピーク値が１０Ｖの場合、生存細胞の割合は２０％未満であった。
【００５２】
なお、図６には示していないが、２０Ｖの直流電圧を印加した場合も、生存細胞の割合は２０％未満であった。
このようにＨＩＶが感染したＴ細胞がアポトーシスに導かれることによって、当該感染細胞の総数が減少するため、Ｔ細胞に係るプロウィルスの総数も減少する。
【００５３】
このとき、Ｔ細胞であるＡＣＨ２細胞は、矩形波状の直電圧を印加することにより、前述したようにプロウィルスの転写が抑制される。従って、Ｔ細胞については、当該感染細胞からＨＩＶの拡散を防止しつつ、当該感染細胞がアポトーシスに導かれるので、Ｔ細胞に係るＨＩＶの除去について相乗効果が奏される。
【００５４】
一方、ＨＩＶ非感染Ｔ細胞であるＪｕｒｋａｔ  Ｔ細胞について、前同様に矩形波状の直流電圧を印加する試験を行ったが、当該細胞にアポトーシスの誘導は検出されなかった。
【００５５】
従って、このようなアポトーシスの誘導は、ＨＩＶが感染したＴ細胞に特異的に現れるものであり、ＨＩＶ非感染Ｔ細胞には現れないので、本発明装置による免疫細胞に対する処置の安全性は高い。
【図面の簡単な説明】
【００５６】
【図１】本発明に係るウィルス感染細胞処置装置の構成を示す模式図である。
【図２】図１に示したパッドの拡大平面である。
【図３】図２に示したパッドのＩＩＩ−ＩＩＩ線による断面図である。
【図４】ＨＩＶのプロウィルスを有する単球における転写活性化を検討した結果を示すグラフである。
【図５】ＨＩＶのプロウィルスを有するＴ細胞における転写活性化を検討した結果を示すグラフである。
【図６】ＨＩＶのプロウィルスを有するＴ細胞のアポトーシスを検出した結果を示すグラフである。
【符号の説明】
【００５７】
１    パッド（電極部）
２    パッド（電極部）
３    定電圧電源器
５    ケーブル
１１ａ  電極
１１ｂ  電極
１２    被覆部
【図１】
2009291230.tif 000003
【図２】
2009291230.tif 000004
【図３】
2009291230.tif 000005
【図４】
2009291230.tif 000006
【図５】
2009291230.tif 000007
【図６】
2009291230.tif 000008